(57)【特許請求の範囲】
【請求項１】
それぞれ第１及び第２通信チャネル及び制御チャネルから成る複数の第１のデジタル通信回線間、及びこの第１のデジタル通信回線と当該第１のデジタル通信回線以外の通信回線との交換に係わる種々機能を有する交換装置と、
この交換装置に対し前記第１のデジタル通信回線を介して接続され、音声入力手段により入力された音声信号を音声データに変換して前記第１のデジタル通信回線に送信すると共に前記第１のデジタル通信回線から受信した音声データを音声信号に変換して音声出力手段から出力する音声変換処理機能を有したデジタル電話端末とを備えた構内交換システムであって、
前記デジタル電話端末は、
第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、
前記第１通信チャネルから到来した音声データと、前記第２通信チャネルから到来した音声データとを合成する音声合成手段と、
前記交換装置から与えられる切替指示に応じて、前記第２通信チャネルと前記音声出力手段との間、及び前記音声出力手段と前記音声合成手段の出力側との間を選択的に接続する接続手段とを備え、
前記交換装置は、
前記デジタル電話端末から前記制御チャネルを介して到来したデータ端末に対する再生音声データ及び記録音声データの監視要求に応じ、この監視要求元となるデジタル電話端末に対して前記接続手段を前記音声出力手段と前記音声合成手段の出力側との間を接続した状態とさせて、当該監視要求元のデジタル電話端末において前記データ端末に対する再生音声データ及び記録音声データを監視させる監視制御手段を備えることを特徴とする構内交換システム。
【請求項２】
それぞれ第１及び第２通信チャネル及び制御チャネルから成る複数の第１のデジタル通信回線間、及びこの第１のデジタル通信回線と当該第１のデジタル通信回線以外の通信回線との交換に係わる種々機能を有する交換装置と、
この交換装置に対し前記第１のデジタル通信回線を介して接続され、音声入力手段により入力された音声信号を音声データに変換して前記第１のデジタル通信回線に送信すると共に前記第１のデジタル通信回線から受信した音声データを音声信号に変換して音声出力手段から出力する音声変換処理機能を有したデジタル電話端末とを備えた構内交換システムであって、
前記デジタル電話端末は、
第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、
前記データ端末から再生された再生音声データと、前記音声変換処理機能から出力された送話音声データとを合成する第１の音声合成手段と、
前記データ端末から再生された再生音声データと、自端末が受信する受話音声データとを合成する第２の音声合成手段と、
前記交換装置から与えられる切替指示に応じて、前記第１通信チャネルと前記音声入力手段との間、及び前記第１通信チャネルと前記第１の音声合成手段の出力側との間を選択的に接続する第１の接続手段と、
前記交換装置から与えられる切替指示に応じて、前記第２通信チャネルと前記音声出力手段との間、及び前記音声出力手段と前記第２の音声合成手段の出力側との間を選択的に接続する第２の接続手段とを備え、
前記交換装置は、
前記デジタル電話端末から前記制御チャネルを介して到来した監視要求に応じ、この監視要求元となるデジタル電話端末に対して前記第１の接続手段を前記第１通信チャネルと前記第１の音声合成手段の出力側との間を接続した状態とさせるとともに、前記第２の接続手段を前記音声出力手段と前記第２の音声合成手段の出力側との間を接続した状態とさせて、当該監視要求元のデジタル電話端末において前記再生音声データ及び受話音声データを監視させるとともに、通信相手側に対して前記再生音声データ及び送話音声データを監視させる監視制御手段とを備えることを特徴とする構内交換システム。
【請求項３】
それぞれ第１及び第２通信チャネル及び制御チャネルから成る複数の第１のデジタル通信回線間、及びこの第１のデジタル通信回線と当該第１のデジタル通信回線以外の通信回線との交換に係わる種々機能を有する交換装置に対し前記第１のデジタル通信回線を介して接続可能であり、音声入力手段により入力された音声信号を音声データに変換して前記第１のデジタル通信回線に送信すると共に前記第１のデジタル通信回線から受信した音声データを音声信号に変換して音声出力手段から出力する音声変換処理機能を有したデジタル電話端末において、
第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、
前記第１通信チャネルから到来した音声データと、前記第２通信チャネルから到来した音声データとを合成する音声合成手段と、
前記交換装置から与えられる切替指示に応じて、前記第２通信チャネルと前記音声出力手段との間、及び前記音声出力手段と前記音声合成手段の出力側との間を選択的に接続する接続手段とを具備したことを特徴とするデジタル電話端末。
【請求項４】
それぞれ第１及び第２通信チャネル及び制御チャネルから成る複数の第１のデジタル通信回線間、及びこの第１のデジタル通信回線と当該第１のデジタル通信回線以外の通信回線との交換に係わる種々機能を有する交換装置に対し前記第１のデジタル通信回線を介して接続可能であり、音声入力手段により入力された音声信号を音声データに変換して前記第１のデジタル通信回線に送信すると共に前記第１のデジタル通信回線から受信した音声データを音声信号に変換して音声出力手段から出力する音声変換処理機能を有したデジタル電話端末において、
第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、
前記データ端末から再生された再生音声データと、前記音声変換処理機能から出力された送話音声データとを合成する第１の音声合成手段と、
前記データ端末から再生された再生音声データと、自端末が受信する受話音声データとを合成する第２の音声合成手段と、
前記交換装置から与えられる切替指示に応じて、前記第１通信チャネルと前記音声入力手段との間、及び前記第１通信チャネルと前記第１の音声合成手段の出力側との間を選択的に接続する第１の接続手段と、
前記交換装置から与えられる切替指示に応じて、前記第２通信チャネルと前記音声出力手段との間、及び前記音声出力手段と前記第２の音声合成手段の出力側との間を選択的に接続する第２の接続手段とを具備したことを特徴とするデジタル電話端末。
【発明の詳細な説明】
【０００１】
【発明の属する技術分野】
この発明は、例えばキーテレフォンやＰＢＸ（Private Branch Exchange）などの交換装置に接続されたデジタル電話端末に対しデータ端末を付加したシステムに係わり、特にデータ端末が提供するサービス機能の充実を図った構内交換システム及びそのデジタル電話端末に関する。
【０００２】
【従来の技術】
従来の構内交換システムは、例えばデジタル電話機をＰＢＸまたはボタン電話主装置等の交換装置に内線端末として収容し、これらの内線端末と公衆網等の外部通信網との間及び内線端末相互間をＰＢＸまたはボタン電話主装置により交換接続して通話を可能にするように構成されている。
【０００３】
また、従来では、交換装置に対し同一通信ポート上にデジタル電話端末とパーソナル・コンピュータ等のデータ端末とを接続し、通常の音声通信をデジタル電話端末で行ない、音声通信に係わる付加的及び応用的な処理をデータ端末で行なうようにしたシステムも提唱されている。この場合、データ端末は、通話音声の録音または再生を行なう装置として使用される。
【０００４】
【発明が解決しようとする課題】
ところが、この種のシステムにおいて、交換装置に接続されるデジタル電話端末に対し通信ポート中の上りＢチャネル、同じく交換装置に接続されるデータ端末に対し通信ポート中の下りＢチャネルに割り当てるため、交換装置と各端末との通信や、同一通信ポート内での端末間の通信を自由に行なうことができない。つまり、データ端末では、交換装置から下りＢチャネルを介して到来した音声データ以外は受信することができないため、受話音声データの録音またはモニタしか行なえず、会話（通話内容）の録音、または再生を行なうことができない等の問題が生じる。
【０００５】
この発明の目的は、交換装置に対して同一ポート上にデジタル電話端末とデータ端末とを接続したシステムにあって、同一ポート上のデジタル電話端末を使用してデータ端末に対する音声データの録音または再生を行なえるようにした構内交換システム及びそのデジタル電話端末を提供することにある。
【０００６】
【課題を解決するための手段】
この第１の発明に係る構内交換システムは、それぞれ第１及び第２通信チャネル及び制御チャネルから成る複数の第１のデジタル通信回線間の交換に係わる種々機能を有する交換装置と、この交換装置に対し第１のデジタル通信回線を介して接続され、音声入力手段により入力された音声信号を音声データに変換して第１のデジタル通信回線に送信すると共に第１のデジタル通信回線から受信した音声データを音声信号に変換して音声出力手段から出力する音声変換処理機能を有したデジタル電話端末とを備えた構内交換システムであって、デジタル電話端末は、第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、交換装置から与えられる切替指示に応じて、第１通信チャネルと第３通信チャネルとの間、及び第１通信チャネルと音声入力手段との間を選択的に接続する第１の接続手段と、交換装置から与えられる切替指示に応じて、第２通信チャネルと第３通信チャネルとの間、及び第３通信チャネルと音声出力手段との間を選択的に接続する第２の接続手段とを備え、交換装置は、デジタル電話端末もしくは当該デジタル電話端末に接続されたデータ端末から制御チャネルを介して到来した再生要求に応じ、再生要求元のデジタル電話端末に対して第２の接続手段を第３通信チャネルと音声出力手段との間を接続した状態とさせて、データ端末が再生する音声データを前記音声出力手段により音声出力させる再生制御手段を備えるようにしたものである。
【０００７】
すなわち第１の発明は、交換装置に対し第１のデジタル通信回線を介して接続されたデジタル電話端末内に、データ端末を接続した第２のデジタル通信回線接続用のデータ端末インタフェース部を設け、かつ第１のデジタル通信回線中の第２通信チャネルと音声出力手段との間、及び第３通信チャネルと音声出力手段との間を選択的に接続する第２の接続手段とを設け、第１のデジタル通信回線中の第２通信チャネルをデジタル電話端末及びデータ端末により共用するようにし、第２のデジタル通信回線中の第３通信チャネルを交換装置及びデジタル電話端末により共用するようにしたものである。
【０００８】
したがってこの第１の発明によれば、第１のデジタル通信回線中の第２通信チャネルがデジタル電話端末及びデータ端末で共用され、しかも第２のデジタル通信回線中の第３通信チャネルが交換装置及びデジタル電話端末で共用されるので、例えばデジタル電話端末から再生要求を送出することにより、データ端末に記憶された送受話音声データを選択的に再生させて聴取することができる。
【０００９】
また、この第１の発明は、再生制御手段に、データ端末を接続したデジタル電話端末以外の電話端末から制御チャネルを介して到来した再生要求に応じ、再生要求先となるデジタル電話端末に対して第１の接続手段を第１通信チャネルと第３通信チャネルとの間を接続した状態とさせて、データ端末が再生する音声データを再生要求元の電話端末へ送信させる機能を設けるようにしたものである。
【００１０】
このように構成することで、任意のデジタル電話端末に接続されたデータ端末に記憶された送受話音声データが、聴取を希望する他の電話端末に転送され音声出力される。このため、任意のデータ端末に記憶された音声通信の内容を、他の電話端末において聴取することが可能となる。
【００１１】
また、この第２の発明に係る構内交換システムは、それぞれ第１及び第２通信チャネル及び制御チャネルから成る複数の第１のデジタル通信回線間の交換に係わる種々機能を有する交換装置と、この交換装置に対し第１のデジタル通信回線を介して接続され、音声入力手段により入力された音声信号を音声データに変換して第１のデジタル通信回線に送信すると共に第１のデジタル通信回線から受信した音声データを音声信号に変換して音声出力手段から出力する音声変換処理機能を有したデジタル電話端末とを備えた構内交換システムであって、デジタル電話端末は、第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、第２通信チャネルから到来した音声データと、音声変換処理機能から出力される音声データとを合成する第１の音声合成手段と、交換装置から与えられる切替指示に応じて、第２通信チャネルと第４通信チャネルとの間、及び第１の音声合成手段の出力側と第４通信チャネルとの間を選択的に接続する第３の接続手段とを備え、交換装置は、デジタル電話端末もしくは当該デジタル電話端末に接続されたデータ端末から制御チャネルを介して到来した記録要求に応じ、記録要求元となるデジタル電話端末に対して第３の接続手段を第１の音声合成手段の出力側と第４通信チャネルとの間を接続した状態とさせて、第１の音声合成手段の出力をデータ端末に記録させる記録制御手段とを備えるようにしたものである。
【００１２】
すなわち第２の発明は、交換装置に対し第１のデジタル通信回線を介して接続されたデジタル電話端末内に、データ端末を接続した第２のデジタル通信回線接続用のデータ端末インタフェース部を設け、かつ第１のデジタル通信回線中の第２通信チャネルから到来する自端末における受話音声データと自端末から送信した送話音声データとを合成する第１の音声合成手段と、第２通信チャネルと第４通信チャネルとの間、及び第１の音声合成手段の出力側と第４通信チャネルとの間を選択的に接続する第３の接続手段とを設け、第１のデジタル通信回線中の第２通信チャネルをデジタル電話端末及びデータ端末により共用するようにし、第２のデジタル通信回線中の第４通信チャネルを交換装置及びデジタル電話端末により共用するようにしたものである。
【００１３】
従ってこの第２の発明によれば、第１のデジタル通信回線中の第２通信チャネルがデジタル電話端末及びデータ端末で共用され、しかも第２のデジタル通信回線中の第４通信チャネルが交換装置及びデジタル電話端末で共用されるので、デジタル電話端末を使用して自己の送話音声データと通信相手から到来する受話音声データとを自端末に接続されたデータ端末に記憶することができる。
【００１４】
また、この第３の発明に係る構内交換システムは、それぞれ第１及び第２通信チャネル及び制御チャネルから成る複数の第１のデジタル通信回線間の交換に係わる種々機能を有する交換装置と、この交換装置に対し第１のデジタル通信回線を介して接続され、音声入力手段により入力された音声信号を音声データに変換して第１のデジタル通信回線に送信すると共に第１のデジタル通信回線から受信した音声データを音声信号に変換して音声出力手段から出力する音声変換処理機能を有したデジタル電話端末とを備えた構内交換システムであって、デジタル電話端末は、第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、第１通信チャネルから到来した音声データと、第２通信チャネルから到来した音声データとを合成する第２の音声合成手段と、交換装置から与えられる切替指示に応じて、第２通信チャネルと音声出力手段との間、及び音声出力手段と第２の音声合成手段の出力側との間を選択的に接続する第４の接続手段とを備え、交換装置は、デジタル電話端末から制御チャネルを介して到来したデータ端末に対する再生音声データ及び記録音声データの監視要求に応じ、この監視要求元となるデジタル電話端末に対して第４の接続手段を音声出力手段と第２の音声合成手段の出力側との間を接続した状態とさせて、当該監視要求元のデジタル電話端末においてデータ端末に対する再生音声データ及び記録音声データを監視させる第１の監視制御手段を備えるようにしたものである。
【００１５】
すなわち第３の発明は、交換装置に対し第１のデジタル通信回線を介して接続されたデジタル電話端末にデータ端末を接続した第２のデジタル通信回線接続用のデータ端末インタフェース部を設け、かつ第１のデジタル通信回線中の第２通信チャネルから到来しデータ端末に記録すべき音声データとデータ端末から再生される音声データとを合成する第２の音声合成手段と、第２通信チャネルと第４通信チャネルとの間、及び第１の音声合成手段の出力側と第４通信チャネルとの間を選択的に接続する第３の接続手段とを設け、第１のデジタル通信回線中の第１通信チャネル及び第２通信チャネルをデジタル電話端末及びデータ端末により共用するようにし、第２のデジタル通信回線中の第３通信チャネル及び第４通信チャネルを交換装置及びデジタル電話端末により共用するようにしたものである。
【００１６】
従って第３の発明によれば、第１のデジタル通信回線中の第１通信チャネル及び第２通信チャネルがデジタル電話端末及びデータ端末で共用され、しかも第２のデジタル通信回線中の第３通信チャネル及び第４通信チャネルが交換装置及びデジタル電話端末で共用されるので、デジタル電話端末は、監視要求を送出することで、例えば音声通信中のデータ端末から再生される再生音声データと、通信相手から到来する記録音声データとをモニタして、データ端末と相手端末との通信内容をユーザに監視させることができ、また自端末が相手端末との間で通話を行なっている際にも、データ端末に記憶された音声データの内容をユーザに確認させることができる。
【００１７】
また、この第４の発明に係る構内交換システムは、それぞれ第１及び第２通信チャネル及び制御チャネルから成る複数の第１のデジタル通信回線間の交換に係わる種々機能を有する交換装置と、この交換装置に対し第１のデジタル通信回線を介して接続され、音声入力手段により入力された音声信号を音声データに変換して第１のデジタル通信回線に送信すると共に第１のデジタル通信回線から受信した音声データを音声信号に変換して音声出力手段から出力する音声変換処理機能を有したデジタル電話端末とを備えた構内交換システムであって、デジタル電話端末は、第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、データ端末から再生された再生音声データと、音声変換処理機能から出力された送話音声データとを合成する第３の音声合成手段と、データ端末から再生された再生音声データと、自端末が受信する受話音声データとを合成する第４の音声合成手段と、交換装置から与えられる切替指示に応じて、第１通信チャネルと音声入力手段との間、及び第１通信チャネルと第３の音声合成手段の出力側との間を選択的に接続する第５の接続手段と、交換装置から与えられる切替指示に応じて、第２通信チャネルと音声出力手段との間、及び音声出力手段と第４の音声合成手段の出力側との間を選択的に接続する第６の接続手段とを備え、交換装置は、デジタル電話端末から制御チャネルを介して到来した監視要求に応じ、この監視要求元となるデジタル電話端末に対して第５の接続手段を第１通信チャネルと第３の音声合成手段の出力側との間を接続した状態とさせるとともに、第６の接続手段を音声出力手段と第４の音声合成手段の出力側との間を接続した状態とさせて、当該監視要求元のデジタル電話端末において再生音声データ及び受話音声データを監視させるとともに、交換装置側に対して再生音声データ及び送話音声データを監視させる第２の監視制御手段とを備えるようにしたものである。
【００１８】
すなわちこの第４の発明は、交換装置に対し第１のデジタル通信回線を介して接続されたデジタル電話端末にデータ端末を接続した第２のデジタル通信回線接続用のデータ端末インタフェース部を設け、かつデータ端末から再生された再生音声データと自端末で送信した送話音声データとを合成する第３の音声合成手段と、データ端末から再生された再生音声データと通信相手から到来する受話音声データとを合成する第４の音声合成手段と、第１通信チャネルと音声入力手段との間、及び第１通信チャネルと第３の音声合成手段の出力側との間を選択的に接続する第５の接続手段と、第２通信チャネルと音声出力手段との間、及び音声出力手段と第４の音声合成手段の出力側との間を選択的に接続する第６の接続手段とを設け、第１のデジタル通信回線中の第１通信チャネル及び第２通信チャネルをデジタル電話端末及びデータ端末により共用するようにし、第２のデジタル通信回線中の第３通信チャネルを交換装置及びデジタル電話端末により共用するようにしたものである。
【００１９】
従って第４の発明によれば、第１のデジタル通信回線中の第１通信チャネル及び第２通信チャネルがデジタル電話端末及びデータ端末で共用され、しかも第２のデジタル通信回線中の第３通信チャネルが交換装置及びデジタル電話端末で共用されるので、デジタル電話端末は、例えば音声通信中に、再生要求を送出することにより、データ端末に記憶された送受話音声データを選択的に再生させて、通信相手から到来する受話音声データとともに聴取することができる。また、通信相手からの要求に応じて、自己の送話音声データとデータ端末に記憶された送受話音声データとを合成し、その合成音声データを聴取を希望する相手の電話端末に転送して音声出力させることができる。このため、任意のデジタル電話端末との音声通信の内容と、データ端末に記憶された音声内容とを、通信相手が電話端末において聴取することが可能となる。
【００２０】
また、この第５の発明に係る構内交換システムは、それぞれ第１及び第２通信チャネル及び制御チャネルから成る複数の第１のデジタル通信回線間、及びこの第１のデジタル通信回線と当該第１のデジタル通信回線以外の通信回線との交換に係わる種々機能を有する交換装置と、この交換装置に対し第１のデジタル通信回線を介して接続され、音声入力手段により入力された音声信号を音声データに変換して第１のデジタル通信回線に送信すると共に前記第１のデジタル通信回線から受信した音声データを音声信号に変換して音声出力手段から出力する音声変換処理機能を有したデジタル電話端末とを備えた構内交換システムであって、デジタル電話端末は、第３及び第４通信チャネル及び制御チャネルから成る第２のデジタル通信回線を接続可能であり、この第２のデジタル通信回線に接続され音声データの記録及び再生を行なう機能を有するデータ端末との間の通信制御機能を有するデータ端末インタフェース部と、交換装置から与えられる切替指示に応じて、第１通信チャネルと第３通信チャネルとの間、及び第１通信チャネルと音声入力手段との間を選択的に接続する第１の接続手段と、交換装置から与えられる切替指示に応じて、第２通信チャネルと第３通信チャネルとの間、及び第３通信チャネルと音声出力手段との間を選択的に接続する第２の接続手段と、第２通信チャネルから到来した音声データと、音声変換処理機能から出力される音声データとを合成する第１の音声合成手段と、交換装置から与えられる切替指示に応じて、第２通信チャネルと第４通信チャネルとの間、及び第１の音声合成手段の出力側と第４通信チャネルとの間を選択的に接続する第３の接続手段とを備え、交換装置は、デジタル電話端末もしくは当該デジタル電話端末に接続されたデータ端末から制御チャネルを介して到来した再生要求に応じ、第２の接続手段を第３通信チャネルと音声出力手段との間を接続した状態とさせて、データ端末が再生する音声データを前記音声出力手段により音声出力させる再生制御手段と、デジタル電話端末もしくは当該デジタル電話端末に接続されたデータ端末から前記制御チャネルを介して到来した記録要求に応じ、記録要求元となるデジタル電話端末に対して第３の接続手段を第１の音声合成手段の出力側と第４通信チャネルとの間を接続した状態とさせて、第１の音声合成手段の出力を前記データ端末に記録させる記録制御手段とを備えるようにしたものである。
【００２１】
従って第５の発明によれば、デジタル電話端末のユーザは、データ端末に記憶された送受話音声データを選択的に再生させて聴取している状態で、デジタル電話端末を使用して自己の送話音声データと通信相手から到来する受話音声データとをデータ端末に記憶することができる。また、デジタル電話端末のユーザは、デジタル電話端末を使用してデータ端末に対し通話録音を行なっている状態で、データ端末に録音された音声内容の確認も行なうこともできる。また、デジタル電話端末を使用してデータ端末に対する録音処理及び再生処理を行なうことができるので、使用用途に応じた処理が可能となる。
【００２２】
【発明の実施の形態】
以下、この発明の各実施形態について図面を参照して詳細に説明する。
図１は、この発明に係るボタン電話システムの要部構成を示すブロック図である。
【００２３】
このボタン電話システムは、同図に示すように、主装置１に、複数（最大ｉ個）のデジタル電話端末２（２−１〜２−ｉ）を任意に接続して構成されている。デジタル電話端末２として使用されるものには、例えばデジタルボタン電話機がある。
【００２４】
デジタル交換装置１は、さらに、タイムスイッチ１１、複数（ｊ個）の局線インタフェース回路１２（１２−１〜１２−ｊ）、複数（ｉ個）の内線インタフェース回路１３（１３−１〜１３−ｉ）、中央制御部１４を備えており、タイムスイッチ１１、局線インタフェース回路１２及び内線インタフェース回路１３は、ＰＣＭハイウェイ１５を介して互いに接続されている。
【００２５】
また、タイムスイッチ１１、局線インタフェース回路１２、内線インタフェース回路１３及び中央制御部１４は、データハイウェイ１６を介して互いに接続されている。
【００２６】
タイムスイッチ１１は、中央制御部１４の制御に基づいてＰＣＭハイウェイ１５上のタイムスロットの入れ替えを行なうことによって、局線インタフェース回路１２及び内線インタフェース回路１３を任意に交換接続する。
【００２７】
局線インタフェース回路１２には、公衆回線や専用線などの局線Ｌ（Ｌ−１〜Ｌ−ｊ）が必要に応じて接続される。局線インタフェース回路１２は、接続された局線Ｌに関する局線インタフェース動作を行なう。局線インタフェース動作とは、局線Ｌを介して与えられる音声信号（アナログ）のＰＣＭ信号への変換、タイムスイッチ１１を介して与えられるＰＣＭ信号の音声信号（アナログ）への変換、局線Ｌの状態監視や、局線Ｌを介して接続された網に対する種々の信号の送出などである。また、局線インタフェース回路１２は、上記局線インタフェース動作に係わる種々の制御情報の授受を、データハイウェイ１６を介して中央制御部１４との間で行なう。
【００２８】
内線インタフェース回路１３には、例えばデジタル通信回線として使用されるデジタル内線（２Ｂチャネル＋Ｄチャネル）を介してデジタル電話端末２が必要に応じて接続される。内線インタフェース回路１３は、接続されたデジタル電話端末２に関する内線インタフェース動作を行なう。内線インタフェース動作は、デジタル電話端末２から出力されるＰＣＭ信号のＰＣＭハイウェイ１５からの抽出、デジタル電話端末２の状態監視や、デジタル電話端末２に対する種々の信号の送出などである。また、内線インタフェース回路１３は、上記内線インタフェース動作に係わる種々の制御情報の授受を、データハイウェイ１６を介して中央制御部１４との間で行なう。
【００２９】
中央制御部１４は、当該主装置１の各部を統括的に制御することでボタン電話システムとしての動作を実現する。
【００３０】
また、デジタル電話端末２−１には、デジタル内線（２Ｂチャネル＋Ｄチャネル）を介してパーソナル・コンピュータからなるデータ端末ＰＣ１が接続されている。すなわち、デジタル電話端末２−１は、データ端末ＰＣ１との間でデータ転送を行なうことができる。また、内線インタフェース回路１３−１は、データ端末ＰＣ１との間でデータ転送を行なうことができる。
【００３１】
（第１の実施形態）
この実施形態は、図１における主装置１、デジタル電話端末２−１及びデータ端末ＰＣ１に関するものである。
【００３２】
図２は、この第１の実施形態における主装置１、デジタル電話端末２−１及びデータ端末ＰＣ１の概略的な接続構成を示すブロック図である。
【００３３】
すなわち、この第１の実施形態のデジタル電話端末２−１は、音声入出力インタフェース（Ｉ／Ｆ）部２１と、データ端末インタフェース（Ｉ／Ｆ）部２２と、スイッチ部２３と、スイッチ部２４とを備えている。
【００３４】
このうち、音声入出力Ｉ／Ｆ部２１は、受信機能２１１と、送信機能２１２とを備えている。受信機能２１１にはスピーカ等の音声出力装置３１が接続されている。送信機能２１２にはマイクロホン等の音声入力装置３２が接続されている。音声入出力Ｉ／Ｆ部２１は、主装置１から到来した受話音声データをアナログ信号に変換して音声出力装置３１から拡声出力するとともに、音声入力装置３２により入力された送話音声信号をデジタル化して主装置１側に送出する。
【００３５】
また、データ端末Ｉ／Ｆ部２２は、データ端末ＰＣ１を接続したデジタル内線４２に接続され、このデジタル内線４２を介してデータ端末ＰＣ１との間における音声データ及び制御データの送受を制御する。
【００３６】
スイッチ部２３は、主装置１からＤチャネルを介して与えられる切替指示に応じて、デジタル内線４１中の上りＢチャネルと音声入出力Ｉ／Ｆ部２１中の送信機能２１２との間、及びデジタル内線４１中の上りＢチャネルとデジタル内線４２中の上りＢチャネルとの間を選択的に接続する。
【００３７】
スイッチ部２４は、主装置１からＤチャネルを介して与えられる切替指示に応じて、デジタル内線４１中の下りＢチャネルと音声入出力Ｉ／Ｆ部２１中の受信機能２１２との間、及びデジタル内線４２中の上りＢチャネルと受信機能２１１との間を選択的に接続する。
【００３８】
データ端末ＰＣ１は、インタフェース部５１と、記録再生部５２とを備えている。このうち、インタフェース部５１には、送信機能５１１と、受信機能５１２とが備えられている。この送信機能５１１にはデジタル内線４２中の上りＢ１チャネルが接続され、受信機能５１２にはデジタル内線４２中の下りＢ１チャネルが接続される。すなわち、インタフェース部５１は、デジタル内線４２を介してデジタル電話端末２−１との間、もしくは主装置１との間における音声データ及び制御データの送受を制御する。
【００３９】
記録再生部５２は、インタフェース部５１を介して送受される音声データの記録及び再生のいずれか一方を行なう。
【００４０】
これに対し、主装置１の中央制御部１４は、再生制御機能を備えている。この再生制御機能は、デジタル電話端末２−１もしくはデータ端末ＰＣ１からＤチャネルを介して到来した再生要求に応じ、デジタル電話端末２に対してスイッチ部２４をデジタル内線４２中の上りＢ１チャネルと受信機能２１１との間を接続した状態とさせて、データ端末ＰＣ１が再生する音声データを音声出力装置３１により拡声出力させる。
【００４１】
次に、以上のように構成されたシステムによる音声再生動作を説明する。
【００４２】
いま、図３に示すようにデジタル電話端末２−１もしくはデータ端末ＰＣ１から再生要求が送出されたとする。そうすると、この再生要求は、（１）に示すようにデジタル内線４１のＤチャネルを介して主装置１に通知される。この通知を受けた主装置１は、（２）に示すように再生要求元のデジタル電話端末２−１に対しデータ端末ＰＣ１を接続させるスイッチ切替指示をデジタル内線４１中のＤチャネルを介して送出する。
【００４３】
以後、デジタル電話端末２−１は、通知されたスイッチ切替指示をもとに、（３）に示すようにスイッチ２４をデジタル内線４２中の上りＢ１チャネルと音声入出力Ｉ／Ｆ部２１の受信機能２１１とを接続した状態に切り替える。すると、データ端末ＰＣ１の記録再生部５２から再生された音声データは、デジタル電話端末２−１に向け送信される。
【００４４】
デジタル電話端末２−１は、データ端末ＰＣ１から伝送された音声データを受信すると、この音声データを音声入出力Ｉ／Ｆ部２１にて音声信号に変換した後音声出力装置３１から拡声出力させる。
【００４５】
以上述べたように上記第１の実施形態では、デジタル電話端末２−１にデータ端末ＰＣ１を接続したデジタル内線接続用のデータ端末Ｉ／Ｆ部２２を設け、かつデジタル内線４１中の下りＢ１チャネルと音声入出力Ｉ／Ｆ部２１の受信機能２１１との間、及びデジタル内線４２中の上りＢ１チャネルと音声入出力Ｉ／Ｆ部２１の受信機能２１１との間を選択的に接続するスイッチ２４を設け、デジタル内線４１中の下りＢ１チャネルをデジタル電話端末２−１及びデータ端末ＰＣ１により共用し、デジタル内線４２中の上りＢ１チャネルを主装置１及びデジタル電話端末２−１により共用している。
【００４６】
従って、データ端末ＰＣ１から再生される音声データを聴取するために専用の音声出力装置を別途用意したり主装置１から専用回線を敷設する必要がなく、しかもスイッチ部２４の切替によりデジタル内線４１中の下りＢ１チャネルをデジタル電話端末及びデータ端末で共用し、デジタル内線４２中の上りＢ１チャネルを主装置１及びデジタル電話端末２−１で共用するようにしたことによって、デジタル電話端末２−１により音声通信が行なえるとともに、デジタル電話端末２−１から主装置１に対し再生要求を送出することにより、データ端末ＰＣ１に記憶された送受話音声データを選択的に再生させて聴取することができる。
【００４７】
（第２の実施形態）
この第２の実施形態は、図２における主装置１、デジタル電話端末２−１及びデータ端末ＰＣ１の接続構成に関するものである。
【００４８】
すなわち、この第２の実施形態における主装置１の中央制御部１４は、例えばデジタル電話端末２−２からデータ端末ＰＣ１に対する再生要求が到来した場合に、再生要求先となるデジタル電話端末２−１に対してスイッチ部２３をデジタル内線４１中の上りＢ１チャネルとデジタル内線４２中の上りＢ１チャネルとの間を接続した状態に切り替えて、データ端末ＰＣ１が再生する音声データを再生要求元のデジタル電話端末２−２へ送信させる機能を備えるようにしている。
【００４９】
このような構成において、例えば図４に示すようにデジタル電話端末２−２のユーザがデータ端末ＰＣ１に対し記憶された音声データの聴取を要求する操作を行なったとする。
【００５０】
そうするとデジタル電話端末２−２から送出された再生要求信号は、（１）に示すように主装置１に通知される。この通知を受けた主装置１は、（２）に示すように再生要求先のデジタル電話端末２−１に対しデータ端末ＰＣ１を接続させるスイッチ切替指示をデジタル内線４１中のＤチャネルを介して送出する。
【００５１】
以後、デジタル電話端末２−１は、通知されたスイッチ切替指示に基づいて、（３）に示すようにスイッチ部２３をデジタル内線４１中の上りＢ１チャネルとデジタル内線４２中の上りＢ１チャネルとを接続した状態に切り替える。すると、データ端末ＰＣ１の記録再生部５２から再生された音声データは、デジタル電話端末２−２に向け送信される。
【００５２】
デジタル電話端末２−２は、データ端末ＰＣ１から伝送された音声データを受信すると、この音声データを音声出力装置３１から拡声出力させる。
【００５３】
このように第２の実施形態であれば、データ端末ＰＣ１に記憶された送受話音声データが、聴取を希望するデジタル電話端末２−２に転送され音声出力される。このため、データ端末ＰＣ１に記憶された音声通信の内容を、話者がデジタル電話端末２−２において聴取することが可能となる。
【００５４】
（第３の実施形態）
図５は、第３の実施形態における主装置１、デジタル電話端末２−１及びデータ端末ＰＣ１の概略的な接続構成を示すブロック図である。なお、図２と同一部分には同一符号を付し、その詳細な説明は省略する。
【００５５】
この図５に示すように第３の実施形態におけるデジタル電話端末２−１は、音声合成部２５と、スイッチ部２６とを備えている。
【００５６】
音声合成部２５は、音声入出力Ｉ／Ｆ部２１から出力される送話音声データと主装置１から到来する受話音声データとを合成する。
【００５７】
スイッチ部２６は、主装置１からＤチャネルを介して与えられる切替指示に応じて、デジタル内線４１中の下りＢ１チャネルとデジタル内線４２中の下りＢ１チャネルとの間、及び音声合成部２５とデジタル内線４２中の下りＢ１チャネルとの間を選択的に接続する。
【００５８】
また、この第３の実施形態におけるデータ端末ＰＣ１は、上記記録再生部５２に代えて、到来した音声データを記憶する記録部５３を備えている。
【００５９】
さらに、この第３の実施形態における主装置１の中央制御部１４は、録音制御機能を備えている。この録音制御機能は、デジタル電話端末２−１もしくはデータ端末ＰＣ１からＤチャネルを介して到来した録音要求に応じ、録音要求元となるデジタル電話端末２−１に対してスイッチ部２６を音声合成部２５の出力側とデジタル内線４２中の下りＢ１チャネルとの間を接続した状態とさせて、音声合成部２５から出力される合成音声データをデータ端末ＰＣ１の記録部５３に記録させる。
【００６０】
次に、以上のように構成されたシステムによる通話録音処理の動作を説明する。
【００６１】
いま、デジタル電話端末２−１とデジタル電話端末２−３との間で通話が行われているものとする。そして、この状態で、図６に示すようにデジタル電話端末２−１のユーザがデータ端末ＰＣ１を使用して録音要求操作を行なったとする。そうすると、録音要求信号は、（１）に示すように主装置１に通知される。
【００６２】
この通知を受けた主装置１は、（２）に示すように録音要求元のデジタル電話端末２−１に対しデータ端末ＰＣ１を接続させるスイッチ切替指示をデジタル内線４１中のＤチャネルを介して送出する。
【００６３】
以後、デジタル電話端末２−１は、通知されたスイッチ切替指示をもとに、（３）に示すようにスイッチ２６を音声合成部２５の出力側とデジタル内線４２中の下りＢ１チャネルとを接続した状態に切り替える。すると、音声合成部２５でデジタル電話端末２−１における送話音声データとデジタル電話端末２−３から到来する受話音声データとが合成された合成音声データが、データ端末ＰＣ１に向け送信される。
【００６４】
データ端末ＰＣ１は、デジタル電話端末２−１から伝送された合成音声データを受信すると、この合成音声データを記録部５３に記憶する。
【００６５】
以上述べたように上記第３の実施形態では、デジタル電話端末２−１にデジタル内線４１中の下りＢ１チャネルから到来する受話音声データと自端末から送信した送話音声データとを合成する音声合成部２５と、デジタル内線４１中の下りＢ１チャネルとデジタル内線４２中の下りＢ１チャネルとの間、及び音声合成部２５の出力側とデジタル内線４２中の下りＢ１チャネルとの間を選択的に接続するスイッチ部２６とを設け、デジタル内線４１中の下りＢ１チャネルをデジタル電話端末２−１及びデータ端末ＰＣ１により共用し、デジタル内線４２中の下りＢ１チャネルを主装置１及びデジタル電話端末２−１により共用するようにしている。
【００６６】
従って、デジタル内線４１中の下りＢ１チャネルがデジタル電話端末２−１及びデータ端末ＰＣ１で共用され、しかもデジタル内線４２中の下りＢ１チャネルが主装置１及びデジタル電話端末２−１で共用されるようにしたので、デジタル電話端末２−１のユーザは、デジタル電話端末２−３との通話中に、録音要求を送出するだけで、自己の送話音声データと通信相手から到来する受話音声データとをデータ端末ＰＣ１において記憶することができる。
【００６７】
（第４の実施形態）
図７は、第４の実施形態における主装置１、デジタル電話端末２−１及びデータ端末ＰＣ１の概略的な接続構成を示すブロック図である。なお、図２と同一部分には同一符号を付し、その詳細な説明は省略する。
【００６８】
この図７に示すように第４の実施形態におけるデジタル電話端末２−１は、音声合成部２７と、スイッチ部２８とを備えている。
【００６９】
音声合成部２７は、データ端末ＰＣ１から再生された音声データとデジタル内線４１中の下りＢ１チャネルから到来する受話音声データとを合成する。
【００７０】
スイッチ部２８は、主装置１からＤチャネルを介して与えられる切替指示に応じて、デジタル内線４１中の下りＢ１チャネルと音声入出力Ｉ／Ｆ部２１の受信機能２１１との間、及び受信機能２１１と音声合成部２７の出力側との間を選択的に接続する。
【００７１】
スイッチ部２９は、デジタル内線４１中の上りＢ１チャネルと音声入出力Ｉ／Ｆ部２１の送信機能２１２との間を接続する。
【００７２】
さらに、この第４の実施形態における主装置１の中央制御部１４は、監視制御機能を備えている。この監視制御機能は、デジタル電話端末２−１からＤチャネルを介して到来した監視要求に応じ、監視要求元となるデジタル電話端末２−１に対してスイッチ部２８を音声合成部２７の出力側と音声入出力Ｉ／Ｆ部２１の受信機能２１１とを接続した状態とさせて、音声合成部２７から出力される合成音声データを音声出力装置３１により拡声出力させる。
【００７３】
次に、以上のように構成されたシステムにおいて、デジタル電話端末２−１がデータ端末ＰＣ１の通話を聴取する場合の処理について説明する。
【００７４】
いま例えば、図８に示すようにデータ端末ＰＣ１とデジタル電話端末２−４とが通話を行なっている最中に、デジタル電話端末２−１のユーザがデータ端末ＰＣ１に対し通話聴取の要求操作を行なったとする。そうすると、デジタル電話端末２−１から送出された要求信号は、（１）に示すように主装置１に通知される。
【００７５】
この通知を受けた主装置１は、（２）に示すように要求元のデジタル電話端末２−１に対しスイッチ切替指示をデジタル内線４１中のＤチャネルを介して送出する。
【００７６】
以後、デジタル電話端末２−１は、通知されたスイッチ切替指示に基づいて、スイッチ部２８を受信機能２１１と音声合成部２７の出力側とを接続した状態に切り替える。すると、音声合成部２７でデータ端末ＰＣ１で再生される音声データとデジタル電話端末２−４から到来する受話音声データとが合成された合成音声データが、音声出力装置３１から拡声出力される。
【００７７】
また、デジタル電話端末２−１は、例えばデジタル電話端末２−４との通話中に、データ端末ＰＣ１に対し通話聴取の要求信号を主装置１に送出することにより、スイッチ部２８を受信機能２１１と音声合成部２７の出力側とを接続した状態に切り替えられ、デジタル電話端末２−４からの受話音声データとともに、データ端末ＰＣ１に記憶された音声データをユーザに聴取させることもできる。
【００７８】
以上述べたように上記第４の実施形態では、デジタル電話端末２−１にデジタル内線４１中の下りＢ１チャネルから到来する受話音声データとデータ端末ＰＣ１から再生された音声データとを合成する音声合成部２７と、デジタル内線４１中の下りＢ１チャネルと音声入出力Ｉ／Ｆ部２１の受信機能２１１との間、及び音声合成部２７の出力側と受信機能２１１との間を選択的に接続するスイッチ部２８とを設け、デジタル内線４１中の上りＢ１チャネル及び下りＢ１チャネルをデジタル電話端末２−１及びデータ端末ＰＣ１により共用し、デジタル内線４２中の上りＢ１チャネル及び下りＢ１チャネルを主装置１及びデジタル電話端末２−１により共用するようにしている。
【００７９】
従って、デジタル電話端末２−１は、監視要求を送出することで、例えば音声通信中のデータ端末から再生される再生音声データと、通信相手から到来する記録音声データとをモニタして、データ端末と相手端末との通信内容をユーザに監視させることができ、また自端末が相手端末との間で通話を行なっている際にも、データ端末に記憶された音声データの内容をユーザに確認させることができる。
【００８０】
（第５の実施形態）
図９は、第５の実施形態における主装置１、デジタル電話端末２−１及びデータ端末ＰＣ１の概略的な接続構成を示すブロック図である。なお、図７と同一部分には同一符号を付し、その詳細な説明は省略する。
【００８１】
この図９に示すように第５の実施形態におけるデジタル電話端末２−１は、音声合成部６１と、スイッチ部６２とを備えている。また、データ端末ＰＣ１は、記録再生部５２に代えて、再生部５４を備えている。
【００８２】
音声合成部６１は、データ端末ＰＣ１から再生された音声データとデジタル電話端末２−１における送話音声データとを合成する。
【００８３】
スイッチ部６２は、主装置１からＤチャネルを介して与えられる切替指示に応じて、デジタル内線４１中の上りＢ１チャネルと音声入出力Ｉ／Ｆ部２１の送信機能２１２との間、及びデジタル内線４１中の上りＢ１チャネルと音声合成部６１の出力側との間を選択的に接続する。
【００８４】
さらに、この第５の実施形態における主装置１の中央制御部１４は、監視制御機能を備えている。この監視制御機能は、デジタル電話端末２−１からＤチャネルを介して到来した監視要求に応じ、監視要求元となるデジタル電話端末２−１に対してスイッチ部２８を音声合成部２７の出力側と音声入出力Ｉ／Ｆ部２１の受信機能２１１とを接続した状態とさせて、音声合成部２７から出力される合成音声データを音声出力装置３１により拡声出力させるとともに、スイッチ部６２をデジタル内線４１中の上りＢ１チャネルと音声合成部６１の出力側とを接続した状態とさせて、音声合成部６１から出力される合成音声データを通話相手端末に送信させる。
【００８５】
次に、以上のように構成されたシステムにおいて、デジタル電話端末２−１がデータ端末ＰＣ１に記憶された音声内容を聴取する場合と通話相手端末がデータ端末ＰＣ１に記憶された音声内容を聴取する場合との処理について説明する。
【００８６】
いま例えば、図１０に示すようにデジタル電話端末２−１とデジタル電話端末２−５とが通話を行なっている最中に、デジタル電話端末２−１のユーザがデータ端末ＰＣ１に対し通話聴取の要求操作を行なったとする。そうすると、デジタル電話端末２−１から送出された要求信号は、（１）に示すように主装置１に通知される。
【００８７】
この通知を受けた主装置１は、（２）に示すように要求元のデジタル電話端末２−１に対しスイッチ切替指示をデジタル内線４１中のＤチャネルを介して送出する。
【００８８】
以後、デジタル電話端末２−１は、通知されたスイッチ切替指示に基づいて、スイッチ部２８を受信機能２１１と音声合成部２７の出力側とを接続した状態に切り替えるとともに、スイッチ部６２をデジタル内線４１中の上りＢ１チャネルと音声合成部６１の出力側とを接続した状態に切り替える。
【００８９】
すると、音声合成部２７でデータ端末ＰＣ１で再生される音声データとデジタル電話端末２−５から到来する受話音声データとが合成された合成音声データが、音声出力装置３１から拡声出力されるとともに、音声合成部６１でデータ端末ＰＣ１で再生される音声データとデジタル電話端末２−１における送話音声データとが合成された合成音声データが、デジタル電話端末２−５に向け送信される。
【００９０】
デジタル電話端末２−５は、デジタル電話端末２−１から伝送された合成音声データを受信すると、この合成音声データを音声出力装置から拡声出力させる。
【００９１】
以上述べたように上記第５の実施形態では、デジタル電話端末２−１にデジタル内線４１中の下りＢ１チャネルから到来する受話音声データとデータ端末ＰＣ１から再生された音声データとを合成する音声合成部２７と、デジタル内線４１中の下りＢ１チャネルと音声入出力Ｉ／Ｆ部２１の受信機能２１１との間、及び音声合成部２７の出力側と受信機能２１１との間を選択的に接続するスイッチ部２８とを設け、さらに、データ端末ＰＣ１から再生された音声データとデジタル電話端末２−１における送話音声データとを合成する音声合成部６１と、デジタル内線４１中の上りＢ１チャネルと音声入出力Ｉ／Ｆ部２１の送信機能２１２との間、及びデジタル内線４１中の上りＢ１チャネルと音声合成部６１の出力側との間を選択的に接続するスイッチ部６２とを設け、デジタル内線４２中の上りＢ１チャネルを主装置１及びデジタル電話端末２−１により共用するようにしている。
【００９２】
従って、デジタル電話端末２−１は、例えばデジタル電話端末２−５との音声通信中に、監視要求を送出することで、データ端末ＰＣ１に記憶された音声データを選択的に再生させて、通信相手から到来する受話音声データとともにユーザに聴取させることができる。また、通信相手からの要求に応じて、自己の送話音声データとデータ端末ＰＣ１に記憶された音声データとを合成し、その合成音声データを聴取を希望する相手のデジタル電話端末２−５に転送して音声出力させることができる。このため、デジタル電話端末２−１との音声通信の内容と、データ端末ＰＣ１に記憶された音声内容とを、デジタル電話端末２−５のユーザがデジタル電話端末２−５において聴取することが可能となる。
【００９３】
（第６の実施形態）
図１１は、第６の実施形態における主装置１、デジタル電話端末２−１及びデータ端末ＰＣ１の概略的な接続構成を示すブロック図である。なお、図２と同一部分には同一符号を付し、その詳細な説明は省略する。
【００９４】
この図１１に示すように第６の実施形態におけるデジタル電話端末２−１は、上記図２に示した部分に加えて、音声合成部６３と、スイッチ部６４とを備えるようにしている。
【００９５】
音声合成部６３は、音声入出力Ｉ／Ｆ部２１から出力される送話音声データと主装置１から到来する受話音声データとを合成する。
【００９６】
スイッチ部６４は、主装置１からＤチャネルを介して与えられる切替指示に応じて、デジタル内線４１中の下りＢ１チャネルとデジタル内線４２中の下りＢ１チャネルとの間、及び音声合成部６３とデジタル内線４２中の下りＢ１チャネルとの間を選択的に接続する。
【００９７】
さらに、この第６の実施形態における主装置１の中央制御部１４は、録音制御機能を備えている。この録音制御機能は、デジタル電話端末２−１もしくはデータ端末ＰＣ１からＤチャネルを介して到来した録音要求に応じ、録音要求元となるデジタル電話端末２−１に対してスイッチ部６４を音声合成部６３の出力側とデジタル内線４２中の下りＢ１チャネルとの間を接続した状態とさせて、音声合成部６３から出力される合成音声データをデータ端末ＰＣ１の記録再生部５２に記録させる。
【００９８】
次に、以上のように構成されたシステムによる動作を説明する。
【００９９】
いま、デジタル電話端末２−１とデジタル電話端末２−７との間で通話が行われている状態で、デジタル電話端末２−１もしくはデータ端末ＰＣ１から再生要求が送出されたとする。そうすると、この再生要求信号は、デジタル内線４１のＤチャネルを介して主装置１に通知される。この通知を受けた主装置１は、再生要求元のデジタル電話端末２−１に対しデータ端末ＰＣ１を接続させるスイッチ切替指示をデジタル内線４１中のＤチャネルを介して送出する。
【０１００】
以後、デジタル電話端末２−１は、通知されたスイッチ切替指示をもとに、スイッチ部２４をデジタル内線４２中の上りＢ１チャネルと音声入出力Ｉ／Ｆ部２１の受信機能２１１とを接続した状態に切り替えて、デジタル電話端末２−７との通話を一時保留とする。すると、データ端末ＰＣ１の記録再生部５２から再生された音声データは、デジタル電話端末２−１に向け送信される。
【０１０１】
デジタル電話端末２−１は、データ端末ＰＣ１から伝送された音声データを受信すると、この音声データを音声入出力Ｉ／Ｆ部２１にて音声信号に変換した後音声出力装置３１から拡声出力させる。
【０１０２】
この状態で、デジタル電話端末２−１のユーザが録音要求操作を行なったとする。そうすると、録音要求信号は、主装置１に通知される。
【０１０３】
この通知を受けた主装置１は、録音要求元のデジタル電話端末２−１に対しデータ端末ＰＣ１を接続させるスイッチ切替指示をデジタル内線４１中のＤチャネルを介して送出する。
【０１０４】
以後、デジタル電話端末２−１は、通知されたスイッチ切替指示をもとに、スイッチ部６４を音声合成部６３の出力側とデジタル内線４２中の下りＢ１チャネルとを接続した状態に切り替える。すると、音声合成部６３でデジタル電話端末２−１における送話音声データとデジタル電話端末２−７から到来する受話音声データとが合成された合成音声データが、データ端末ＰＣ１に向け送信される。
【０１０５】
データ端末ＰＣ１は、デジタル電話端末２−１から伝送された合成音声データを受信すると、この合成音声データを記録再生部５２に記憶する。
【０１０６】
このような第６の実施形態であれば、デジタル電話端末２−１のユーザは、データ端末ＰＣ１に記憶された送受話音声データを選択的に再生させて聴取している状態で、デジタル電話端末２−１を使用して自己の送話音声データと通信相手から到来する受話音声データとをデータ端末ＰＣ１に記憶することができる。また、デジタル電話端末２−１のユーザは、デジタル電話端末２−１を使用してデータ端末ＰＣ１に対し通話録音を行なっている状態で、データ端末ＰＣ１に録音された音声内容の確認も行なうこともできる。また、デジタル電話端末２−１を使用してデータ端末ＰＣ１に対する録音処理及び再生処理を行なうことができるので、使用用途に応じた処理が可能となる。
【０１０７】
（その他の実施形態）
なお、この発明は、上記各実施形態に限定されるものではない。上記各実施形態では、ボタン電話システムを対象として説明したが、デジタルＰＢＸにもこの発明を適用することが可能である。
【０１０８】
その他、システムの種類や構成、デジタル電話端末の構成、データ端末の構成及び種類、主装置とデジタル電話端末とデータ端末との接続構成等について、この発明の要旨を逸脱しない範囲で種々変形して実施できる。
【０１０９】
【発明の効果】
以上詳述したようにこの発明によれば、交換装置に対して同一ポート上にデジタル電話端末とデータ端末とを接続したシステムにあって、同一ポート上のデジタル電話端末を使用してデータ端末に対する音声データの録音または再生を行なえるようにした構内交換システム及びそのデジタル電話端末を提供することができる。
【図面の簡単な説明】
【図１】この発明のデジタル電話端末が使用されるボタン電話システムの要部構成を示すブロック図。
【図２】この発明の第１の実施形態における主装置、デジタル電話端末及びデータ端末の概略的な接続構成を示すブロック図。
【図３】図２に示したシステムによる音声再生動作を示すシーケンス図。
【図４】この発明の第２の実施形態におけるシステムによる音声再生動作を示すシーケンス図。
【図５】この発明の第３の実施形態における主装置、デジタル電話端末及びデータ端末の概略的な接続構成を示すブロック図。
【図６】図５に示したシステムによる通話録音処理の動作を示すシーケンス図。
【図７】この発明の第４の実施形態における主装置、デジタル電話端末及びデータ端末の概略的な接続構成を示すブロック図。
【図８】図７に示したシステムによる通話監視処理の動作を示すシーケンス図。
【図９】この発明の第５の実施形態における主装置、デジタル電話端末及びデータ端末の概略的な接続構成を示すブロック図。
【図１０】図９に示したシステムによる音声再生処理の動作を示すシーケンス図。
【図１１】この発明の第６の実施形態における主装置、デジタル電話端末及びデータ端末の概略的な接続構成を示すブロック図。
【符号の説明】
１…主装置、
１１…タイムスイッチ、
１２（１２−１〜１２−ｊ）…局線インタフェース回路、
１３（１３−１〜１３−ｉ）…内線インタフェース回路、
１４…中央制御部、
１５…ＰＣＭハイウェイ、
１６…データハイウェイ、
２（２−１〜２−ｉ）…デジタル電話端末、
２１…音声入出力インタフェース（Ｉ／Ｆ）部、
２２…データ端末インタフェース（Ｉ／Ｆ）部、
２３，２４，２６，２８，２９，６２，６４…スイッチ部、
２５，２７，６１，６３…音声合成部、
３１…音声出力装置、
３２…音声入力装置、
４１，４２…デジタル内線、
５１…インタフェース部、
５２…記録再生部、
５３…記録部、
５４…再生部、
ＰＣ１…データ端末。
【図１】
0003749830.tif 000002
【図２】
0003749830.tif 000003
【図３】
0003749830.tif 000004
【図４】
0003749830.tif 000005
【図５】
0003749830.tif 000006
【図６】
0003749830.tif 000007
【図７】
0003749830.tif 000008
【図８】
0003749830.tif 000009
【図９】
0003749830.tif 000010
【図１０】
0003749830.tif 000011
【図１１】
0003749830.tif 000012